(57)【要約】【課題】電気配線部材をインク供給部材に強固に接着固定する。【解決手段】インクジェット記録ヘッドは、インクを吐出する記録素子基板３と、記録素子基板３に電気信号を供給する電気配線部材４と、記録素子基板３と電気配線部材４とが接着固定され、記録素子基板３にインクを供給するインク供給部材２とを有している。インク供給部材２の電気配線部材４との固定面２１１の外周部の少なくとも一部に沿って、外周溝２１３が形成されている。電気配線部材４は、外周部の少なくとも一部が外周溝２１３にせり出したせり出し部４４を有し、せり出し部４４の外周溝２１３に面する裏面４６が、接着剤Ａ２を介して、外周溝２１３の少なくとも一部と接着され、かつ、外周溝の一部に空気層２１７が形成されている。【選択図】  図５
2006289894.tif 000002
【特許請求の範囲】
【請求項１】
インクを吐出する記録素子基板と、前記記録素子基板に電気信号を供給する電気配線部材と、前記記録素子基板と前記電気配線部材とが接着固定され、該記録素子基板に前記インクを供給するインク供給部材とを有し、前記インク供給部材の前記電気配線部材との固定面の外周部の少なくとも一部に沿って外周溝が形成され、前記電気配線部材は、外周部の少なくとも一部が前記外周溝にせり出したせり出し部を有し、該せり出し部の該外周溝に面する裏面が、接着剤を介して、該外周溝の少なくとも一部と接着され、かつ、該外周溝の一部に空気層が形成されているインクジェット記録ヘッド。
【請求項２】
前記外周溝の内側側面の少なくとも一部に凹部が形成されている、請求項１に記載のインクジェット記録ヘッド。
【請求項３】
前記インク供給部材は、前記外周溝の外側側面を構成する外周壁を有している、請求項１または２に記載のインクジェット記録ヘッド。
【請求項４】
前記外周壁の一部に、前記外周溝の内部の状態を目視可能な目視用開口が形成されている、請求項３に記載のインクジェット記録ヘッド。
【請求項５】
前記電気配線部材は、前記せり出し部と接続し、前記外周溝を越えて延び、前記インク供給部材に沿って折り曲げられた折り曲げ部を備えている、請求項１から４のいずれか１項に記載のインクジェット記録ヘッド。
【請求項６】
前記折り曲げ部と交差する前記外周溝には前記外周壁が設けられていない、請求項５に記載のインクジェット記録ヘッド。
【請求項７】
前記折り曲げ部と交差する前記外周溝の前記外周壁は、該折り曲げ部と交差しない該外周壁よりも低く形成されている、請求項５に記載のインクジェット記録ヘッド。
【請求項８】
前記接着剤は熱硬化型接着剤である、請求項１から７のいずれか１項に記載のインクジェット記録ヘッド。
【請求項９】
インクを吐出する記録素子基板に電気信号を供給する電気配線部材を、該記録素子基板に該インクを供給するインク供給部材に接着固定するステップを含むインクジェット記録ヘッドの製造方法であって、
前記電気配線部材が接着されるべき前記インク供給部材の固定面であって、該固定面の外周部の少なくとも一部に沿って外周溝が形成された固定面に接着剤を塗布するステップと、前記電気配線部材を、前記接着剤が塗布された前記固定面に対して、該電気配線部材の外周部の少なくとも一部が前記外周溝にせり出すように位置あわせをするステップと、
前記電気配線部材を、前記接着剤の一部が前記外周溝にはみ出し、該外周溝の少なくとも一部に付着し、かつ、該外周溝の一部に空気層が形成されるように、前記インク供給部材に圧着させるステップとを有するインクジェット記録ヘッドの製造方法。
【発明の詳細な説明】
【技術分野】
【０００１】
本発明は、インクジェット記録ヘッドおよびその製造方法に関し、特に、インクジェット記録ヘッドの、電気配線部材とインク供給部材との接合構造に関する。
【背景技術】
【０００２】
インクジェット記録装置に用いられるインクジェット記録ヘッドの構成の一例を、図面を参照して説明する（特許文献１参照）。図９は、従来のインクジェット記録ヘッドの構成の一例を示す分解斜視図である。図１０は、図９に示すインクジェット記録ヘッドの組み立て完成後の外観斜視図である。
【０００３】
インクジェット記録ヘッド１０１は、インク供給部材１０２と、記録素子基板３（図９，１０では２つの記録素子基板が設けられ、各々３ａ，３ｂと表示している。）と、電気配線部材４と、電気コンタクト基板５とを備えている。インク供給部材１０２は、本体１２１と、流路形成部材１２２と、ジョイントシール部材１２３と、フィルター１２４と、シールゴム１２５と、第１のプレート１２６と、第２のプレート１２７とから構成されている。インクジェット記録ヘッド１０１には、インクタンクを収納するタンクホルダ６が装着される。
【０００４】
このようなインクジェット記録ヘッドは以下に示す工程を経て組み立てられる。まず、第２のプレート１２７を第１のプレート１２６に接着固定した後、第１のプレート１２６に、記録素子基板３を、記録素子基板接着剤で固定する。次に、電気配線部材接着剤を第２のプレート１２７に塗布形成し、記録素子基板３の電極（図示せず）と電気配線部材４の電極リード（図示せず）との位置を合わせ、電気配線部材４の裏面を第２のプレート１２７に接着固定する。次に、記録素子基板３の電極上のバンプ（図示せず）と電気配線部材４の電極リードとを熱超音波圧着法により電気接合し、電気接合部を封止する。次に、流路形成部材１２２と第１のプレート１２６のインク連通口とを、ジョイントシール部材１２３を介して、互いに圧着するようにビスで固定して、インク供給部材１０２を完成する。最後に、電気コンタクト基板５を電気配線部材４に接続し、本体１２１に固定してインクジェット記録ヘッド１０１が完成する。
【０００５】
ところで、現在、第１のプレートと第２のプレートは、アルミナ（Ａl2Ｏ3）材料をプレス加工や切削加工することによって形成されているために、高価な部品となり、インクジェット記録ヘッドのコストを押し上げている。そこで、より経済的なインクジェット記録ヘッドを提供するため、第１のプレートおよび第２のプレートの樹脂化が検討されている。第１のプレートと第２のプレートを樹脂化すると、インジェクション成型による部材作成が可能となり、必要とする部品形状を瞬時に形成できる。また、本体との一体成型が可能となり、部品点数を削減できる。このため、インクジェット記録ヘッドの低コスト化が可能となる。さらに、部品形状の設計自由度が広がるという利点も生じる。
【０００６】
その反面、熱変形温度が低いために、使用可能な接着剤の種類、プロセス条件に制約を受けるという難点がある。接着剤選定に際しては、さらに耐インク性も要求されるため、各プレートの材質にアルミナを使用した場合と比べて、高接着力の接着剤を選定することが難しくなる。接着力が低下すると、画像形成時の記録紙の反りなどによってジャムが発生したときに、記録紙がインクジェット記録ヘッドの電気配線部材の外周部に接触し、電気配線部材が剥離する可能性がある。また、画像形成時に記録素子基板に付着したインクをワイピング除去する動作を多数回繰り返すことによって、電気配線部材が剥離する可能性がある。
【０００７】
この対策として、図１１に示すように、第１のプレートと第２のプレートが一体となったインク供給部材１０２ｂの電気配線部材固定面１５０の外側に、電気配線部材４の外周に沿って、部分的に外周壁１４０を形成する技術が開示されている（特許文献２参照）。図１１は、図１０の１１−１１断面に沿った断面図である（記録素子基板３ｂは図示せず。）。このような外周壁１４０を設けることによって、記録紙が電気配線部材４に接触しにくくなり、上述した問題は軽減される。
【特許文献１】特開２００２−１９１１９号公報
【特許文献２】特開平０６−２９３１３９号公報
【発明の開示】
【発明が解決しようとする課題】
【０００８】
しかしながら、このような構成においても幾つかの不利な点がある。第一に、画像形成時の記録紙の反りなどによってジャムが発生したときに、記録紙がインクジェット記録ヘッドの電気配線部材の外周部に接触し、電気配線部材が剥離する可能性が僅かながら残る。これは、電気配線部材をインク供給部材に固定するときの組み立て上の制約によって、電気配線部材と外周壁との間にギャップが必要なためである。ギャップが存在すると、記録紙の端部がギャップに進入し、電気配線部材に接触する可能性がある。第二に、インク供給部材の熱変形温度の制約から、電気配線部材接着剤を硬化させるために十分な温度を加えることができず、電気配線部材の外周部がインクに浸漬した時に、時間経過とともに接着力の低下を招く可能性がある。
【０００９】
本発明は、以上の課題に鑑みて、電気配線部材をインク供給部材に強固に接着固定できるインクジェット記録ヘッドおよびその製造方法を提供することを目的とする。
【課題を解決するための手段】
【００１０】
本発明のインクジェット記録ヘッドは、インクを吐出する記録素子基板と、記録素子基板に電気信号を供給する電気配線部材と、記録素子基板と電気配線部材とが接着固定され、記録素子基板にインクを供給するインク供給部材とを有している。インク供給部材の電気配線部材との固定面の外周部の少なくとも一部に沿って、外周溝が形成されている。電気配線部材は、外周部の少なくとも一部が外周溝にせり出したせり出し部を有し、せり出し部の外周溝に面する裏面が、接着剤を介して、外周溝の少なくとも一部と接着され、かつ、外周溝の一部に空気層が形成されている。
【００１１】
本発明のインクジェット記録ヘッドの製造方法は、インクを吐出する記録素子基板に電気信号を供給する電気配線部材を、記録素子基板にインクを供給するインク供給部材に接着固定するステップを含んでいる。すなわち、本製造方法は、電気配線部材が接着されるべきインク供給部材の固定面であって、固定面の外周部の少なくとも一部に沿って外周溝が形成された固定面に接着剤を塗布するステップと、電気配線部材を、接着剤が塗布された固定面に対して、電気配線部材の外周部の少なくとも一部が外周溝にせり出すように位置あわせをするステップと、電気配線部材を、接着剤の一部が外周溝にはみ出し、外周溝の少なくとも一部に付着し、かつ、外周溝の一部に空気層が形成されるように、インク供給部材に圧着させるステップとを有している。
【発明の効果】
【００１２】
本発明のインクジェット記録ヘッドおよびその製造方法によれば、外周溝に進入した接着剤は空気層と接しているため、加えられた熱が逃げにくくなり、より高温になる。このため、接着剤の硬化が促進され、電気配線部材がインク供給部材に強固に接着される。また、外周溝に進入した接着剤は、電気配線部材の外周部を効果的に固定し、電気配線部材の面内方向に加えられる力に対して効果的に抵抗する。このため、より信頼性の高いインクジェット記録ヘッドおよびインクジェット記録装置を提供することが可能となる。
【発明を実施するための最良の形態】
【００１３】
本発明のインクジェット記録ヘッドは、一般的なプリント装置のほか、複写機、通信システムを有するファクシミリ、プリント部を有するワードプロセッサ等の装置、あるいは、これらの装置を複合した多機能記録装置等に適用することができる。本発明のインクジェット記録ヘッドは、電気熱変換体を用いて熱エネルギを生成し、電気信号に応じてインクを膜沸騰させ微小液滴を吐出させる方式のインクジェット記録ヘッドであり、電気熱変換体とインク吐出口とが対向するように配置された、いわゆるサイドシュータ型のインクジェット記録ヘッドである。本インクジェット記録ヘッドは、気泡を大気に連通させることで液滴を一定化させ、微小液滴の吐出を可能にしたインク吐出方式を採用したインクジェット記録ヘッドでもよい。また、インクジェット記録ヘッドは他の形式、たとえばピエゾ素子などの電気機械変換体を用いたものや、レーザーなどの電磁波を発熱手段として用いたものであってもよい。
【００１４】
以下、本発明のインクジェット記録ヘッドの実施形態について図面を参照して説明する。図１には、インクジェット記録ヘッドの外観斜視図を示す。同図（ａ）は記録素子基板の見える側（下方側）からみた斜視図で、同図（ｂ）は上方側からみた斜視図である。これらの図に示すインクジェット記録ヘッド１は、インクタンク一体型であるが、インクタンク分離型であってもよい。インクジェット記録ヘッド１は、インクジェット記録装置（図示せず）の本体に搭載されているキャリッジ（図示せず）上に、位置決め手段および電気的接点によって固定支持されるとともに、キャリッジに対して着脱可能となっている。充填されているインクが消費されてなくなった場合は、インクジェット記録ヘッド１を交換することができる。
【００１５】
図２は、インクジェット記録ヘッドの分解斜視図である。同図（ａ）は記録素子基板の見える側からみた斜視図であり、同図（ｂ）は上方側からみた斜視図であり、各々図１（ａ），（ｂ）に対応している。インクジェット記録ヘッド１は、記録素子基板３にインクを供給するインク供給部材２を備えている。インク供給部材２には、インクを吐出する記録素子基板３と、記録素子基板３とインクジェット記録装置とを電気的に接続する電気配線部材４とが接着固定されている。記録素子基板３は１つだけ設けられているが、黒色およびカラーの２つ以上の記録素子基板が設けられていてもよい。
【００１６】
以下、インクジェット記録ヘッドを構成している構成要素を詳細に説明する。図３には、記録素子基板３の一部破断斜視図を示す。記録素子基板３は、例えば、厚さ０．５ｍｍ〜１ｍｍのシリコン基板３１に、インク流路である長溝状の貫通口のインク供給口３２を、シリコンの結晶方位を利用した異方性エッチングやサンドブラストなどの方法で形成したものである。
【００１７】
シリコン基板３１には、インク供給口３２を挟んだ両側に、電気熱変換素子３３が１列ずつ並べて配置されており、さらに電気熱変換素子３３に電力を供給するアルミニウムなどからなる電気配線（図示せず）が形成されている。電気熱変換素子３３と電気配線は、既存の成膜技術を利用して形成することができる。電気熱変換素子３３の各列は、互いに千鳥状になるように配列されている。すなわち、各列の吐出口の位置が、その列方向に直交する方向に並ばないように、ずれて配置されている。シリコン基板３１には、電気配線への電力や、電気熱変換素子３３を駆動する電気信号を供給する電極部３４が、電気熱変換素子３３の列の両端側の辺に沿って設けられている。それぞれの電極部３４上には、金などからなるバンプ３５が形成されている。
【００１８】
インク供給口３２や電気熱変換素子３３の上方には、樹脂材料からなる構造体がフォトリソ技術によって形成されている。この構造体は、電気熱変換素子３３ごとのインク流路を形成するインク流路壁３６と、その上方を覆う天井部３９とを有し、天井部３９には吐出口３７が形成されている。吐出口３７は、各々が対応する電気熱変換素子３３と対向して設けられ、全体で吐出口群３８を形成している。インク供給口３２から供給されたインクは、各電気熱変換素子３３の発熱によって発生した気泡の圧力によって、各電気熱変換素子３３と対向する吐出口３７から吐出される。
【００１９】
電気配線部材４は、インクを吐出するための電気信号を記録素子基板３に印加する電気信号経路を形成する部材で、ポリイミドのベース基材上に銅箔の配線パターンが形成されて構成されている。図２（ａ）に示すように、記録素子基板３を組み込む開口部４１が設けられており、開口部４１の周縁部付近には、記録素子基板３の電極部３４に接続される電極リード４２が形成されている。電気配線部材４と記録素子基板３とは、例えば、記録素子基板３の電極部３４に形成されたバンプ３５と、対応する電極リード４２とが熱超音波圧着法により圧着されて、電気的に接続される。電気配線部材４は途中で折り曲げられており、折り曲げられた他方の面には、インクジェット記録装置からの電気信号を受け取る外部信号入力端子４３が形成されている。外部信号入力端子４３と電極リード４２は、電気配線部材４に形成された連続した銅箔の配線パターンで接続されている。電気配線部材４の外部信号入力端子４３が設けられた面は、インク供給部材２の記録素子基板３の接着面とほぼ垂直な側面に、熱かしめまたは接着等で固定される。
【００２０】
インク供給部材２は、図２に示すように、樹脂材料で形成された本体２１を備えている。樹脂材料には、本体２１の形状的剛性を向上させるために、ガラスフィラーが５〜４０％混入されていることが望ましい。本体２１の内部には、インクを保持し負圧を発生するためのインク吸収体２２が備えられている。インク吸収体２２としては、ポリプロピレン（ＰＰ）繊維を圧縮したものが使われるが、ウレタン繊維を圧縮したものを用いてもよい。本体２１には、記録素子基板３にインクを導くためのインク流路（図示せず）形成されている。本体２１の一端には、インクジェット記録ヘッド１をインクジェット記録装置に固定するための係合部２１１が設けられている。
【００２１】
インク吸収体２２とインク流路との境界部には、記録素子基板３の内部へのゴミの進入を防ぐフィルター２３が溶着により接合されている。フィルター２３は、ＳＵＳ金属繊維焼結タイプが好ましいが、ＳＵＳ金属メッシュタイプでもよい。
【００２２】
蓋部材２５は、インク供給部材２の上部開口部に溶着されて、インク供給部材２の本体２１内部を密閉する部材である。蓋部材２５には、インク供給部材２の内部の圧力変動を逃がす細口２５１と、それに連通した微細溝２５２とが設けられている。細口２５１と微細溝２５２のほとんどをシール部材２５３で覆い、微細溝２５２の一端部を開口することで、大気連通口２５４が形成されている（図１参照）。蓋部材２５には、インクジェット記録ヘッド１をインクジェット記録装置に固定するための係合部２５５が設けられている。
【００２３】
図４には、図１の４−４線に沿った、インク供給部材と記録素子基板との接合部の断面図を、図５には、図４のＡ部の詳細図を示す。図４に示すように、インク流路の下流側には、記録素子基板３にインクを供給するインク供給口２６が形成されている。記録素子基板３のインク供給口３２がインク供給部材２のインク供給口２６と連通するよう、記録素子基板３は、インク供給部材２に対して、位置精度よく接着固定される。接着に用いられる記録素子基板接着剤Ａ１は、低粘度で硬化温度が低く、短時間で硬化し、硬化後は、比較的高い硬度を有し、かつ、耐インク性のあるものが望ましい。記録素子基板接着剤Ａ１としては、例えばエポキシ樹脂を主成分とした熱硬化接着剤が挙げられ、この場合接着層の厚みは２０μｍ程度が望ましい。
【００２４】
記録素子基板３には、電気配線部材４の裏面４６が、固定面２１１において、電気配線部材接着剤Ａ２により接着固定される。記録素子基板３と電気配線部材４との電気接続部分は、第１の封止剤５１で封止され、インクによる腐食や外的衝撃から保護される。
【００２５】
インク供給部材２には、固定面２１１に沿って、外周壁２１２ａが形成され、その内側に外周溝２１３ａが形成されている。外周壁２１２ａおよび外周溝２１３ａは、たとえば矩形形状または蛇行形状とすることができる。外周溝２１３ａは記録素子基板３側の内側側面２１４ａと、外周壁２１２ａ側の外側側面２１５ａと、底面２１６ａとによって形成されている。外周溝２１３ａの幅ｗは、内側側面２１４ａと外側側面２１５ａとの距離であり、外周溝２１３ａの深さｄは、固定面２１１から外周溝２１３ａの底面２１６ａまでの距離である。外周溝２１３ａの幅ｗと、外周溝２１３ａの深さｄは、外周溝２１３ａへの電気配線部材接着剤Ａ２のはみ出し量に依存する。一実施例では幅ｗは１mm、深さｄは０.５mmであった。
【００２６】
電気配線部材４の外周部は、外周溝２１３ａにせり出すせり出し部４４を形成している。一実施例では、記録素子基板３の電極部３４と電気配線部材４の電極リード４２との位置を合わせた時の、せり出し部４４と外周壁２１２ａとのギャップは０.５mm程度であった。すなわち、せり出し部４４は外周溝２１３に０.５mm程度せり出し、せり出し部４４の幅ｗ１は０.５mm程度であった。
【００２７】
電気配線部材接着剤Ａ２は、電気配線部材４の上面から熱圧着することによって硬化させられる。具体的には、まず、電気配線部材接着剤Ａ２をインク供給部材２の固定面２１１上に塗布形成する。次に、インク供給部材２に接着された記録素子基板３の電極部３４と、電気配線部材４の電極リード４２の位置とを合わせ、電気配線部材４の上面から熱圧着する。電気配線部材接着剤Ａ２は、図５に示すように、外周溝２１３ａの内側側面２１４ａに沿って垂れ落ち、そのまま内側側面２１４ａに付着して硬化する。電気配線部材接着剤Ａ２は、底面２１６ａの内側側面２１４ａ側の部分に付着する場合もある（図示せず）。いずれの場合も、せり出し部４４の外周溝２１３ａに面する裏面４６は、電気配線部材接着剤Ａ２を介して、少なくとも外周溝２１３ａの内側側面２１４ａと接着されている。外周溝２１３ａの幅ｗと深さｄとを調整することによって、底面２１６ａの外側側面２１５ａ側の部分と外側側面２１５ａには付着せず、外周溝２１３ａには空気層２１７ａが形成される。
【００２８】
このとき、図４に示すように、固定面２１１の膜状に形成された電気配線部材接着剤Ａ２は、電気配線部材４を介して伝わる熱Ｈ１がインク供給部材２に逃げるため、十分な硬化に必要な温度に到達しない。これに対し、固定面２１１から外周溝２１３ａにはみ出した電気配線部材接着剤Ａ２は、図５に示すように、電気配線部材４を介して伝わった熱Ｈ２の逃げ道がないために高温となる。これは、外周溝２１３ａに空気層２１７ａが形成されているため、電気配線部材接着剤Ａ２とインク供給部材２との接触面積が小さくなり、電気配線部材接着剤Ａ２からインク供給部材２への熱伝達が抑制されるためである。これによって、電気配線部材４外周部の電気配線部材接着剤Ａ２は、硬化率が上昇し、十分に硬化される。また、硬化される部分は、最も接着力を必要とする電気配線部材４の外周部であるため、仮に、画像形成時の記録紙の反りなどによりジャムが発生し、記録紙の一部が外周溝２１３ａに進入し、電気配線部材４の外周部（せり出し部４４）に接触しても、電気配線部材４の剥離の可能性が低減される。また、外周溝２１３ａの内側側面２１４ａに電気配線部材接着剤Ａ２が付着するため、電気配線部材４の面内方向（平行方向）に作用する引き剥がし力Ｆに対する抵抗力が増加する。さらに、唯一インクが接触する可能性がある電気配線部材４の外周部の電気配線部材接着剤Ａ２の硬化率が増加しているため、耐インク性が向上する。このため、電気配線部材４の外周部がインクに浸漬した場合も、接着力の低下が少ない。以上のことから、単純な構成で信頼性の高いインクジェット記録ヘッドを提供することが可能となる。
【００２９】
外周溝は、図６に示すように、内側側面２１４ａの少なくとも一部に凹部２２１が設けられた形状でもよい。固定面２１１からはみ出した電気配線部材接着剤Ａ２は内側側面２１４ａに沿って垂れ、表面張力によって凹部２２１に進入する。このため、電気配線部材接着剤Ａ２と底面２１６ａとの間に空気層２１７ａが安定的に形成される。このような構成は、固定面２１１からはみ出した電気配線部材接着剤Ａ２の量がばらつく場合や、電気配線部材接着剤Ａ２の粘度が低めの場合に有効である。
【００３０】
図７には、図１の７−７線に沿った、すなわち、電気配線部材が折り曲げられる方向のインク供給部材と記録素子基板との接合部の断面図を示す。インク供給部材２の断面形状は、図４に示す断面形状と基本的に同一である。しかし、電気配線部材４の折り曲げ部４５側の外周壁２１２ｂは、折り曲げ部４５が過大な変形や力を受けることなく折り曲げられるように、外周壁２１２ａと比べて低く形成されている。外周壁２１２ｂを設けない構成としてもよく、たとえば図８に示すような階段形状も可能である。さらに、図示しないが２段以上の階段形状にすることもできる。なお、本明細書では、このように一方の側面がない形状も外周溝として扱う。
【００３１】
記録素子基板３と電気配線部材４との電気接続部分は、第１の封止剤５１と第２の封止剤５２とで封止され、インクによる腐食や外的衝撃から保護される。第１の封止剤５１は、主に電気配線部材４の電極リード４２と記録素子基板３のバンプ３５との接続部の裏面側と記録素子基板３の外周部分を封止し、第２の封止剤５２は、上述の接続部の表側を封止している。
【００３２】
図７，８に示したインク供給部材と記録素子基板との接合構造においても、電気配線部材接着剤の挙動は図４の場合と同様である。すなわち、外周溝２１３ｂ，２１３ｃの一部には空気層２１７ｂ，２１７ｃが形成されるため、外周溝２１３ｂ，２１３ｃにはみ出した電気配線部材接着剤Ａ２は熱の逃げ道がなくなり高温となり、十分に硬化させられる。また、外周溝２１３ｂ，２１３ｃの内側側面２１４ｂ，２１４ｃに電気配線部材接着剤Ａ２が付着するため、電気配線部材４の面内方向（平行方向）に作用する引き剥がし力Ｆに対する抵抗力が増加する。電気配線部材４の折り曲げ部４５には、記録紙との接触により引き剥がされようとする力はかかりにくいが、逆に折り曲げることで発生する電気配線部材４自身の反力がかかりやすい。しかし、以上述べた接合構造によれば折り曲げ部４５の接着力も向上する。
【００３３】
外周壁２１２ａの一部には、図７右側に示すように、外周溝２１３ａにはみ出した電気配線部材接着剤Ａ２の状態を確認するための目視用開口２１８が形成されている。これによって、電気配線部材４とインク供給部材２との接着力を破壊検査により測定することなく、抜き取りによる目視検査またはインライン自動検査によって確認することが可能となる。本実施形態では外周壁２１２ａに１箇所だけ形成したが、必要に応じて、外周壁２１２ａに複数箇所形成してもよい。
【００３４】
表１に従来技術の接着部構造と本実施形態の接着部構造の接着力の測定結果を示す。従来技術、本発明とも２ケースを実施し、接着直後の初期接着力と、インク接液させ６０℃で１週間経過後の接着力を測定した。インク接液前後ともに、本発明のインクジェット記録ヘッドの方が、接着力が格段に向上していることが確認された。
【００３５】
【表１】
2006289894.tif 000003
【図面の簡単な説明】
【００３６】
【図１】本発明のインクジェット記録ヘッドの外観斜視図である。
【図２】図１に示すインクジェット記録ヘッドの分解斜視図である。
【図３】図１に示すインクジェット記録ヘッドの記録素子基板の一部破断斜視図である。
【図４】図１の４−４線に沿った、インク供給部材と記録素子基板との接合部の断面図である。
【図５】図４のＡ部の詳細図である。
【図６】インク供給部材と記録素子基板との接合部の他の実施形態を説明する図である。
【図７】図１の７−７線に沿った、インク供給部材と記録素子基板との接合部の断面図である。
【図８】インク供給部材と記録素子基板との接合部の変形例を示す断面図である。
【図９】従来のインクジェット記録ヘッドの構成の一例を示す分解斜視図である。
【図１０】図９に示すインクジェット記録ヘッドの組み立て完成後の外観斜視図である。
【図１１】図１０の１１−１１断面に沿った断面図である。
【符号の説明】
【００３７】
１  インクジェット記録ヘッド
２  インク供給部材
２１  本体
２１２ａ，２１２ｂ  外周壁
２１３ａ，２１３ｂ，２１３ｃ  外周溝
２１４ａ，２１４ｂ，２１４ｃ  内側側面
２１５ａ  外側側面
２１６ａ  底面
２１７ａ，２１７ｂ，２１７ｃ  空気層
２１８  目視用開口
３  記録素子基板
４  電気配線部材
４４  せり出し部
４５  折り曲げ部
【図１】
2006289894.tif 000004
【図２】
2006289894.tif 000005
【図３】
2006289894.tif 000006
【図４】
2006289894.tif 000007
【図５】
2006289894.tif 000008
【図６】
2006289894.tif 000009
【図７】
2006289894.tif 000010
【図８】
2006289894.tif 000011
【図９】
2006289894.tif 000012
【図１０】
2006289894.tif 000013
【図１１】
2006289894.tif 000014